(57)【要約】【課題】タッチパネルにおけるサブ表示領域の大きさの変更操作を容易にした表示制御装置、及び表示制御方法を提供する。【解決手段】操作状態検知部２２は、タッチパネル５１の操作状態を検知する。画面表示制御部２１は、タッチパネル５１の表示領域を複数のサブ表示領域に分割して、各サブ表示領域の画面表示を制御する複数画面表示制御を行う。サブ表示領域選択部２３は、前記複数画面表示制御が実行されているときに、操作状態検知部２２によりタッチパネル５１に対するスライド操作が検知されたときに、スライド操作の方向に応じて複数のサブ表示領域のいずれかを選択する。サブ表示領域変更部２４は、サブ表示領域選択部２３により選択されたサブ表示領域の大きさを変更する。【選択図】図１
2019045917.tif 000002
【特許請求の範囲】
【請求項１】
タッチパネルの操作状態を検知する操作状態検知部と、
前記タッチパネルの表示領域を複数のサブ表示領域に分割して、各サブ表示領域の画面表示を制御する複数画面表示制御を行う画面表示制御部と、
前記操作状態検知部により前記タッチパネルに対するスライド操作が検知されたときに、該スライド操作の方向に応じて前記複数のサブ表示領域のいずれかを選択するサブ表示領域選択部と、
前記サブ表示領域選択部により選択された前記サブ表示領域の大きさを変更するサブ表示領域変更部と
を備えていることを特徴とする表示制御装置。
【請求項２】
前記サブ表示領域変更部は、前記スライド操作の操作時間に応じて、前記サブ表示領域の大きさの変更量を決定することを特徴とする請求項１記載の表示制御装置。
【請求項３】
前記サブ表示領域変更部は、前記スライド操作の操作速度に応じて、前記サブ表示領域の大きさの変更量を決定することを特徴とする請求項１記載の表示制御装置。
【請求項４】
前記サブ表示領域選択部は、前記複数のサブ表示領域に対して互いに異なる方向範囲を対応付け、前記スライド操作の方向が属する前記方向範囲に対応付けられた前記サブ表示領域を選択することを特徴とする請求項１から請求項３のうちいずれか１項記載の表示制御装置。
【請求項５】
前記サブ表示領域変更部は、所定の方向範囲内における前記スライド操作の方向に応じて縦横比を決定し、前記サブ表示領域選択部により選択された前記サブ表示領域の大きさを、該決定した縦横比で変更することを特徴とする請求項１から４のうちいずれか１項記載の表示制御装置。
【請求項６】
前記画面表示制御部は、前記複数画面表示制御により、前記タッチパネルの表示領域を、第１方向に並んだ複数の前記サブ表示領域を含めて分割し、
前記サブ表示領域選択部は、前記操作状態検知部により、前記第１方向と直交する第２方向のスライド操作が複数回検知された場合に、前記第１方向に並んだ複数の前記サブ表示領域のうち、前記第２方向への変更が可能な複数の前記サブ表示領域を選択し、
前記サブ表示領域変更部は、前記サブ表示領域選択部により選択された複数の前記サブ表示領域の大きさを、前記第２方向に変更することを特徴とする請求項１から請求項５のうちいずれか１項記載の表示制御装置。
【請求項７】
前記画面表示制御部は、前記複数画面表示制御により、前記タッチパネルの表示領域を、第１方向に並んだ複数の前記サブ表示領域を含めて分割し、
前記サブ表示領域選択部は、前記操作状態検知部により、前記第１方向のスライド操作と該第１方向のスライド操作後の前記第１方向と直交する第２方向のスライド操作とが検知された場合に、前記第１方向に並んだ複数の前記サブ表示領域のうち、前記第２方向への変更が可能な複数の前記サブ表示領域を選択し、
前記サブ表示領域変更部は、前記サブ表示領域選択部により選択された複数の前記サブ表示領域の大きさを、前記第２方向に変更することを特徴とする請求項１から請求項５のうちいずれか１項記載の表示制御装置。
【請求項８】
前記画面表示制御部は、前記複数画面表示制御により、前記タッチパネルの表示領域を、第１方向に並んだ複数の前記サブ表示領域を含めて分割し、
前記サブ表示領域選択部は、前記操作状態検知部により、タップ操作と該タップ操作後の前記第１方向と直交する第２方向のスライド操作とが検知された場合に、前記第１方向に並んだ複数の前記サブ表示領域のうち、前記第２方向への変更が可能な複数の前記サブ表示領域を選択し、
前記サブ表示領域変更部は、前記サブ表示領域選択部により選択された複数の前記サブ表示領域の大きさを、前記第２方向に変更することを特徴とする請求項１から請求項５のうちいずれか１項記載の表示制御装置。
【請求項９】
前記画面表示制御部は、前記複数画面表示制御により、前記タッチパネルの表示領域を、第１方向に並んだ複数の前記サブ表示領域を含めて分割し、
前記サブ表示領域選択部は、前記操作状態検知部により、前記第１方向と直交する第２方向のスライド操作が、異なる位置において同時に検知された場合に、前記第１方向に並んだ複数の前記サブ表示領域のうち、前記第２方向への変更が可能な複数の前記サブ表示領域を選択し、
前記サブ表示領域変更部は、前記サブ表示領域選択部により選択された複数の前記サブ表示領域の大きさを、前記第２方向に変更することを特徴とする請求項１から請求項５のうちいずれか１項記載の表示制御装置。
【請求項１０】
タッチパネルの操作状態を検知する操作状態検知ステップと、
前記タッチパネルの表示領域を複数のサブ表示領域に分割して、各サブ表示領域の画面表示を制御する複数画面表示制御を行う画面表示制御ステップと、
前記複数画面表示制御が実行されているときに、前記操作状態検知ステップより前記タッチパネルに対するスライド操作が検知されたときに、該スライド操作の方向に応じて前記複数のサブ表示領域のいずれかを選択するサブ表示領域選択ステップと、
前記サブ表示領域選択ステップにより選択された前記サブ表示領域の大きさを変更するサブ表示領域変更ステップと
を含んでいることを特徴とする表示制御方法。
【発明の詳細な説明】
【技術分野】
【０００１】
本発明は、表示制御装置、及び表示制御方法に関する。
【背景技術】
【０００２】
従来、タッチパネルの制御装置において、タッチパネルの全表示領域を複数のサブ表示領域に分割して表示を行っている場合に、所定のサブ表示領域内で使用者によるフリック操作を受け付けたときに、そのサブ表示領域をフリック操作の方向に拡大する構成が提案されている（例えば、特許文献１参照）。
【先行技術文献】
【特許文献】
【０００３】
【特許文献１】特開２０１３−８４０６１号公報
【発明の概要】
【発明が解決しようとする課題】
【０００４】
上記特許文献１に記載されたタッチパネルは、複写機の操作部として用いられており、使用者が、拡大の対象とするサブ表示領域をフリック操作して、サブ表示領域の範囲を拡大することに特に問題はない。しかしながら、タッチパネルがカーナビゲーション装置等の車載機に使用されている場合には、走行中は使用者（運転者）がタッチパネルを視認し続けることができないため、希望するサブ表示領域をタッチ操作することが難しい。
また、小型のタッチパネルを備えた携帯端末において、表示面積が狭いサブ表示領域を特定してタッチ操作することが難しい場合もある。
本発明はかかる背景に鑑みてなされたものであり、タッチパネルにおけるサブ表示領域の大きさの変更操作を容易にした表示制御装置、及び表示制御方法を提供することを目的とする。
【課題を解決するための手段】
【０００５】
本発明の表示制御装置は、タッチパネルの操作状態を検知する操作状態検知部と、前記タッチパネルの表示領域を複数のサブ表示領域に分割して、各サブ表示領域の画面表示を制御する複数画面表示制御を行う画面表示制御部と、前記操作状態検知部により前記タッチパネルに対するスライド操作が検知されたときに、該スライド操作の方向に応じて前記複数のサブ表示領域のいずれかを選択するサブ表示領域選択部と、前記サブ表示領域選択部により選択された前記サブ表示領域の大きさを変更するサブ表示領域変更部とを備えていることを特徴とする。
【０００６】
また、前記サブ表示領域変更部は、前記スライド操作の操作時間に応じて、前記サブ表示領域の大きさの変更量を決定する構成としてもよい。
【０００７】
また、前記サブ表示領域変更部は、前記スライド操作の操作速度に応じて、前記サブ表示領域の大きさの変更量を決定する構成としてもよい。
【０００８】
また、前記サブ表示領域選択部は、前記複数のサブ表示領域に対して互いに異なる方向範囲を対応付け、前記スライド操作の方向が属する前記方向範囲に対応付けられた前記サブ表示領域を選択する構成としてもよい。
【０００９】
また、前記サブ表示領域変更部は、所定の方向範囲内における前記スライド操作の方向に応じて縦横比を決定し、前記サブ表示領域選択部により選択された前記サブ表示領域の大きさを、該決定した縦横比で変更する構成としてもよい。
【００１０】
また、前記画面表示制御部は、前記複数画面表示制御により、前記タッチパネルの表示領域を、第１方向に並んだ複数の前記サブ表示領域を含めて分割し、前記サブ表示領域選択部は、前記操作状態検知部により、前記第１方向と直交する第２方向のスライド操作が複数回検知された場合に、前記第１方向に並んだ複数の前記サブ表示領域のうち、前記第２方向への変更が可能な複数の前記サブ表示領域を選択し、前記サブ表示領域変更部は、前記サブ表示領域選択部により選択された複数の前記サブ表示領域の大きさを、前記第２方向に変更する構成としてもよい。
【００１１】
ここで、第１方向と第２方向の直交度合は厳密に９０度である必要はなく、９０度±γ（γは使用者による操作状況等により定められる余裕値であり、例えば３０度程度に設定される）の範囲であればよい。以下の構成でも同様である。
【００１２】
また、前記画面表示制御部は、前記複数画面表示制御により、前記タッチパネルの表示領域を、第１方向に並んだ複数の前記サブ表示領域を含めて分割し、前記サブ表示領域選択部は、前記操作状態検知部により、前記第１方向のスライド操作と該第１方向のスライド操作後の前記第１方向と直交する第２方向のスライド操作とが検知された場合に、前記第１方向に並んだ複数の前記サブ表示領域のうち、前記第２方向への変更が可能な複数の前記サブ表示領域を選択し、前記サブ表示領域変更部は、前記サブ表示領域選択部により選択された複数の前記サブ表示領域の大きさを、前記第２方向に変更する構成としてもよい。
【００１３】
また、前記画面表示制御部は、前記複数画面表示制御により、前記タッチパネルの表示領域を、第１方向に並んだ複数の前記サブ表示領域を含めて分割し、前記サブ表示領域選択部は、前記操作状態検知部により、タップ操作と該タップ操作後の前記第１方向と直交する第２方向のスライド操作とが検知された場合に、前記第１方向に並んだ複数の前記サブ表示領域のうち、前記第２方向への変更が可能な複数の前記サブ表示領域を選択し、前記サブ表示領域変更部は、前記サブ表示領域選択部により選択された複数の前記サブ表示領域の大きさを、前記第２方向に変更する構成としてもよい。
【００１４】
また、前記画面表示制御部は、前記複数画面表示制御により、前記タッチパネルの表示領域を、第１方向に並んだ複数の前記サブ表示領域を含めて分割し、前記サブ表示領域選択部は、前記操作状態検知部により、前記第１方向と直交する第２方向のスライド操作が、異なる位置において同時に検知された場合に、前記第１方向に並んだ複数の前記サブ表示領域のうち、前記第２方向への変更が可能な複数の前記サブ表示領域を選択し、前記サブ表示領域変更部は、前記サブ表示領域選択部により選択された複数の前記サブ表示領域の大きさを、前記第２方向に変更する構成としてもよい。
【００１５】
ここで、「第２方向のスライド操作が、異なる位置において同時に検知された場合」における同時性は、完全に同一時点である必要はなく、使用者による一般的な複数の指によるスライド操作の開始及び終了タイミングのずれを含む時間内で検知されればよいことを意味する。
【００１６】
次に、本発明の表示制御方法は、タッチパネルの操作状態を検知する操作状態検知ステップと、前記タッチパネルの表示領域を複数のサブ表示領域に分割して、各サブ表示領域の画面表示を制御する複数画面表示制御を行う画面表示制御ステップと、前記複数画面表示制御が実行されているときに、前記操作状態検知ステップより前記タッチパネルに対するスライド操作が検知されたときに、該スライド操作の方向に応じて前記複数のサブ表示領域のいずれかを選択するサブ表示領域選択ステップと、前記サブ表示領域選択ステップにより選択された前記サブ表示領域の大きさを変更するサブ表示領域変更ステップとを含んでいることを特徴とする。
【発明の効果】
【００１７】
本発明の表示制御装置及び表示制御方法によれば、タッチパネルの表示領域を複数のサブ表示領域に分割して、各サブ表示領域の画面表示を制御する際に、タッチパネルに対するスライド操作の方向によって大きさを変更するサブ表示領域が選択され、タッチ位置については選択の要件となっていない。そのため、タッチパネルの使用者は、タッチパネルの任意の位置でスライド操作を行うことにより、大きさを変更するサブ表示領域を容易に選択することができる。
【図面の簡単な説明】
【００１８】
【図１】表示制御装置の構成、及び表示制御装置の使用態様の説明図。
【図２】スライド操作の方向に応じたサブ表示領域の選択の説明図。
【図３】スライド操作の操作時間に応じたサブ表示領域の拡大量の説明図。
【図４】第１サブ表示領域及び第２サブ表示領域の拡大操作の説明図。
【図５】第３サブ表示領域及び第４サブ表示領域の拡大操作の説明図。
【図６】第１サブ表示領域及び第２サブ表示領域を選択して拡大する第１の操作手順と第２の操作手順の説明図。
【図７】第１サブ表示領域及び第２サブ表示領域を選択して拡大する第３の操作手順と、第１サブ表示領域及び第３サブ表示領域を選択して拡大する第３の操作手順の説明図。
【図８】第１サブ表示領域及び第２サブ表示領域を選択して拡大する第４の操作手順の説明図。
【図９】スライド操作に応じて、サブ表示領域を拡大する一連の処理のフローチャート。
【発明を実施するための形態】
【００１９】
本発明の実施形態について、図１〜図９を参照して説明する。
［１．表示制御装置の構成］
図１を参照して、本実施形態における表示制御装置の構成及び使用態様について説明する。本実施形態の表示制御装置１０は、車両１に搭載されている。ここで、表示制御装置１０は、専用に構成されていてもよく、車両１の車載装置（ＥＣＵ（Electronic Control Unit)、ナビゲーション装置、運転支援装置等）の一部として、或いは車載装置の機能の一部を利用して構成されてもよい。
【００２０】
表示制御装置１０は、ＣＰＵ２０、メモリ３０、各種インターフェース回路（図示しない）等により構成された電子回路ユニットである。ＣＰＵ２０は、メモリ３０に保存された表示制御装置１０の制御用プログラム３１を読み込んで実行することにより、画面表示制御部２１、操作状態検知部２２、サブ表示領域選択部２３、及びサブ表示領域変更部２４として機能する。
【００２１】
表示制御装置１０には、情報ユニット５０、スピーカー４０、記憶装置４１、ジャイロセンサ４２、ＧＰＳ（Global Positioning System）受信機４３、ＦＭ（Frequency Modulation）多重受信機４４、ビーコン受信機４５、及び車両通信部４６が接続されている。
【００２２】
情報ユニット５０は、タッチパネル５１とボタンスイッチ５２とを備え、タッチパネル５１は、液晶パネル等のフラットタイプの表示器５１ａと、表示器５１ａの表面を覆って配置されたタッチスイッチ５１ｂとを有している。また、情報ユニット５０は、複数のボタンスイッチ５２を備えている。
【００２３】
表示制御装置１０には、タッチスイッチ５１ｂ及びボタンスイッチ５２の操作信号が入力される。また、表示制御装置１０から表示部５１ａに出力される制御信号によって、表示部５１ａの画面表示が制御される。
【００２４】
表示制御装置１０は、スピーカー４０を介して警報音、音声ガイダンス等を出力し、記憶装置４１に保存された地図ＤＢ（Data Base）４１ａから、道路情報等を読み込む。また、表示制御装置１０は、ＧＰＳ受信機４３による自車両１の現在位置（緯度、経度）の検出信号と、ジャイロセンサ４２による自車両１の角速度の検出信号とに基づいて、自車両１の現在位置を検出する。
【００２５】
ＦＭ多重受信機４４は、放送局２００から送信される広域の道路交通情報を受信して、表示制御装置１０に出力する。ビーコン受信機４５は、信号機等に設置された路側機２１０から送信されるビーコン（電波ビーコン、光ビーコン）による自車両１の付近の道路交通情報を受信して、表示制御装置１０に出力する。車両通信部４６は、他車両２２０との間で相互に通信（車車間通信）を行う。
【００２６】
表示制御装置１０は、ナビゲーション機能をサポートし、ＧＰＳ受信機４３及びジャイロセンサ４２の検出信号と、地図ＤＢ４１ａから取得した自車両１が走行している道路の情報とに基づいて、自車両１が走行している道路の情報をタッチパネル５１に表示する。また、表示制御装置１０は、ＦＭ多重受信機４４、ビーコン受信機４５、及び車両通信部４６により受信された情報に基づいて、交通情報をタッチパネル５１に表示し、また、交通情報を報知する音声ガイダンスをスピーカー４０から出力する。
【００２７】
［２．画面表示制御部、操作状態検知部、サブ表示領域選択部、及びサブ表示領域変更部の機能］
次に、図２〜図３を参照して、画面表示制御部２１、操作状態検知部２２、サブ表示領域選択部２３、及びサブ表示領域変更部２４の機能について説明する。
【００２８】
図２を参照して、情報ユニット５０は、タッチパネル５１の下部に複数のボタンスイッチ５２を配して構成され、タッチパネル５１は、表示器５１ａの表面にタッチスイッチ５１ｂが装着されている。タッチスイッチ５１ｂは、使用者の指Ｆが接触（タッチ）している位置を検出し、水平方向（図中ｘ方向）及び垂直方向（図中ｙ方向）の２次元座標（ｘ，ｙ）を示す検出信号を出力する。
【００２９】
操作状態検知部２２は、タッチスイッチ５１ｂの検出信号に基づいて、使用者によるタッチパネル５１の操作状態を検知する。図２は、使用者が始点Ｐｓから終点Ｐｅまで、指Ｆをタッチしたままずらすスライド操作Ｓｄ１を行った状況を示しており、操作状態検知部２２は、スライド操作Ｓｄ１の角度（スライド操作の方向）αと、操作時間（始点Ｐｓから終点Ｐｅまでのスライド操作に要した時間）βを検知する。ここで、図２の７０に示したように、スライド操作の角度αは、タッチパネル５１の水平方向（ｘ方向）に対するスライド操作Ｓｄ１の角度である。なお、スライド操作には、フリック操作（指をスライドさせて弾く操作）が含まれる。
【００３０】
画面表示制御部２１は、タッチパネル５１の表示領域（表示器５１ａの表示領域）を、第１サブ表示領域６１、第２サブ表示領域６２、第３サブ表示領域６３、及び第４サブ表示領域６４という四つの矩形のサブ表示領域に分割して表示する複数画面表示制御を行い、四つのサブ表示領域の接点にクロスポイント６５を表示する。ここで、画面表示制御部２１が複数画面表示制御を行う処理は、本発明の表示制御方法における画面表示制御ステップに相当する。
【００３１】
四つのサブ表示領域６１〜６４には、表示する内容が予め割り当てられており、本実施形態は、第１サブ表示領域６１にはナビゲーション画面（自車両１の地図上での現在位置、目的地までの誘導ガイダンス等が表示される）、第２サブ表示領域６２にはオーディオ／ビジュアル画面（再生映像、オーディオ／ビジュアルソースの選択、音響設定等が表示される）、第３サブ表示領域６３にはツール画面（時計、電話、各種調整、各種情報等が表示される）、第４サブ表示領域６４にはアプリ画面（スマートフォンと連携したアプリケーションの利用画面等が表示される）が、それぞれ割り当てられている。
【００３２】
サブ表示領域変更部２４は、使用者によるタッチパネル５１のタッチ操作及びボタンスイッチ５２の操作に応じて、タッチパネル５１の画面表示を変更する。また、サブ表示領域変更部２４は、使用者がクロスポイント６５をタッチしてスライド操作（第１の拡大操作）をした場合に、スライド操作の方向に応じて、各サブ表示領域６１〜６４のサイズを変更する（第１の拡大処理）。さらに、サブ表示領域変更部２４は、使用者がクロスポイント６５以外の箇所をタッチしてスライド操作（第２の拡大操作）を行った場合にも、スライド操作の方向に応じて各サブ表示領域６１〜６４のサイズを変更する処理（第２の拡大処理）を行う。
【００３３】
サブ表示領域選択部２３は、第２の拡大処理に対応するため、図２の７０に示したように、操作状態検知部２２によりスライド操作が検知された場合に、スライド操作の角度αに応じて、４つの方向範囲(a)〜(d)のいずれかに対応付けられたサブ表示領域を選択する。すなわち、サブ表示領域選択部２３は、図２に示した方向テーブル７１に従って、角度αが(a)方向（方向範囲：０°≦α＜９０°）であるときは第１サブ表示領域６１を選択し、角度αが(b)方向（方向範囲：９０°≦α＜１８０°）であるときは第２サブ表示領域６２を選択し、角度αが(c)方向（方向範囲：１８０°≦α＜２７０°）であるときは第４サブ表示領域６４を選択し、角度αが(d)方向（方向範囲：２７０°≦α＜３６０°）であるときは第３サブ表示領域６３を選択する。
【００３４】
［３．一つのサブ表示領域の拡大処理］
次に、図２〜図５を参照して、第２の拡大処理により、一つのサブ表示領域を拡大する場合について説明する。サブ表示領域変更部２４は、図２の方向テーブル７１に示したように、第２の拡大処理で拡大するサブ表示領域の縦横比を、スライド操作の角度αに応じて変更する。本実施形態では、角度αが大きくなるにしたがって、縦横比（ｙ方向長さ／ｘ方向長さ）を１０°毎に大きくする。
【００３５】
また、サブ表示領域変更部２４は、図３の拡大量テーブル８０に示したように、スライド操作の操作時間（始点Ｐｓから終点Ｐｅまでのスライド操作に要した時間）βに応じて、操作時間βが長くなるに従って、サブ表示領域の拡大量（サブ表示領域を大きくする場合の変更量）を大きくする。拡大量テーブル８０では、操作時間βがＴ１，Ｔ２，…，Ｔｘと長くなるに従って、サブ表示領域の拡大量をＥ１（最小），Ｅ２，…，Ｅｘ＋１（最大、全画面表示）と次第に大きくする設定となっている。
【００３６】
図４のＤ１は、使用者が第１サブ表示領域６１について、第２の拡大操作を行った場合を例示している。この場合、使用者は、タッチパネル５１の任意の位置を指Ｆでタッチして、(a)方向のスライド操作Ｓｄ２を行う。スライド操作Ｓｄ２が操作状態検知部２２により検知されて、スライド操作Ｓｄ２の角度αと操作時間βが検知されると、サブ表示領域選択部２３により、スライド操作Ｓｄ２の角度αに対して、(a)方向に割り当てられた第１サブ表示領域が選択される。
【００３７】
サブ表示領域変更部２４は、スライド操作Ｓｄ２の角度αに応じて縦横比を決定し、スライド操作Ｓｄ２の操作時間βの長さに応じて拡大量を決定する。そして、サブ表示領域変更部２４は、第１サブ表示領域６１を、決定した縦横比及び拡大量でＥｘ１の方向に拡大する。
【００３８】
図４のＤ２は、使用者が第２サブ表示領域６２について、第２の拡大操作を行った場合を例示している。この場合、使用者は、タッチパネル５１の任意の位置を指Ｆでタッチして、(b)方向のスライド操作Ｓｄ３を行う。スライド操作Ｓｄ３が操作状態検知部２２により検知されて、スライド操作Ｓｄ３の角度αと操作時間βが検知されると、サブ表示領域選択部２３により、スライド操作Ｓｄ３の角度αに対して、（ｂ）方向に割り当てられた第２サブ表示領域６２が選択される。
【００３９】
サブ表示領域変更部２４は、スライド操作Ｓｄ３の角度αに応じて縦横比を決定し、スライド操作Ｓｄ３の操作時間βの長さに応じて拡大量を決定する。そして、サブ表示領域変更部２４は、第２サブ表示領域６２を、決定した縦横比及び拡大量でＥｘ２の方向に拡大する。
【００４０】
図５のＤ３は、使用者が第３サブ表示領域６３について、第２の拡大操作を行った場合を例示している。この場合、使用者は、タッチパネル５１の任意の位置を指Ｆでタッチして、（ｄ）方向のスライド操作Ｓｄ４を行う。スライド操作Ｓｄ４が操作状態検知部２２により検知されて、スライド操作Ｓｄ４の角度αと操作時間βが検知されると、サブ表示領域選択部２３により、スライド操作Ｓｄ４の角度αに対して、（ｄ）方向に割り当てられた第３サブ表示領域６３が選択される。
【００４１】
サブ表示領域変更部２４は、スライド操作Ｓｄ４の角度αに応じて縦横比を決定し、スライド操作Ｓｄ４の操作時間βに応じて拡大量を決定する。そして、サブ表示領域変更部２４は、第３サブ表示領域６３を、決定した縦横比及び拡大量でＥｘ３の方向に拡大する。
【００４２】
図５のＤ４は、使用者が第４サブ表示領域６４について、第２の拡大操作を行った場合を例示している。この場合、使用者は、タッチパネル５１の任意の位置を指Ｆでタッチして、（ｃ）方向のスライド操作Ｓｄ５を行う。スライド操作Ｓｄ５が操作状態検知部２２により検知されて、スライド操作Ｓｄ５の角度αと操作時間βが検知されると、サブ表示領域選択部２３により、スライド操作Ｓｄ５の角度αに対して、（ｃ）方向に割り当てられた第４サブ表示領域６４が選択される。
【００４３】
サブ表示領域変更部２４は、スライド操作Ｓｄ５の角度αに応じて縦横比を決定し、スライド操作Ｓｄ５の操作時間βに応じて拡大量を決定する。そして、サブ表示領域変更部２４は、第４サブ表示領域６４を、決定した縦横比及び拡大量でＥｘ４の方向に拡大する。
【００４４】
［４．二つのサブ表示領域の拡大処理］
次に、図６〜図８を参照して、二つのサブ表示領域を選択して同じタイミングで拡大する処理について説明する。以下では、二つのサブ表示領域を拡大する第１〜第４の４パターンの操作手順及び処理について説明する。
【００４５】
図６のＤ５は、第１の操作手順により、第１サブ表示領域６１と第２サブ表示領域６２を選択して拡大する場合を例示している。第１の操作手順は、同一方向への２回のスライド操作を行う操作手順である。
【００４６】
使用者は、タッチパネル５１の任意の位置をタッチして、第１サブ表示領域６１と第２サブ表示領域６２が並んだ第１方向（ｘ方向）と直交し、且つ第１サブ表示領域６１と第２サブ表示領域６２を拡大させる方向（拡大可能な方向）である第２方向Ｄｒ２へのスライド操作Ｓｄ６を行う。続いて、使用者は、同様に、タッチパネル５１の任意の位置をタッチして、第２方向Ｄｒ２の方向の２回目のスライド操作Ｓｄ７を行う。
【００４７】
ここで、第２方向Ｄｒ２は、第１方向と正確に直交している必要はなく、第２方向Ｄｒ２とｘ方向との角度は、使用者による実際の操作状況に鑑みて９０度±γ（γは許容範囲の設定値）の範囲であればよい。以下の第１方向と第２方向との角度についても同様である。また、操作状態検知部２２は、２回のスライド操作の連続性を、所定時間内に２回のスライド操作が検知されれたか否かにより判断する。
【００４８】
操作状態検知部２２により、上記第１の操作手順による２回のスライド操作Ｓｄ６，Ｓｄ７が検知されたときに、サブ表示領域選択部２３は、第１サブ表示領域６１及び第２サブ表示領域６２を選択する。そして、サブ表示領域変更部２４は、第１サブ表示領域６１と第２サブ表示領域６２を、共にＤｒ２の方向に拡大する。
【００４９】
また、第１サブ表示領域６１及び第３サブ表示領域６３を拡大させたい場合、使用者は、第１サブ表示領域６１と第３サブ表示領域６３が並んだ第１方向（ｙ方向）と直交し、且つ第１サブ表示領域６１及び第３サブ表示領域６３を拡大させる方向である第２方向Ｄｒ４へのスライド操作を２回続けて行う。この第２方向Ｄｒ４への２回のスライド操作が、操作状態検知部２２により検知されたときに、サブ表示領域選択部２３は、第１サブ表示領域６１及び第３サブ表示領域６３を選択する。そして、サブ表示領域変更部２４は、第１サブ表示領域６１及び第３サブ表示領域６３を、共にＤｒ４の方向に拡大する。
【００５０】
また、第２サブ表示領域６２及び第４サブ表示領域６４を拡大させたい場合、使用者は、第２サブ表示領域６２と第４サブ表示領域６４が並んだ第１方向（ｙ方向）と直交し、且つ第２サブ表示領域６２及び第４サブ表示領域６４を拡大させる方向である第２方向Ｄｒ３へのスライド操作を２回続けて行う。この第２方向Ｄｒ３への２回のスライド操作が、操作状態検知部２２により検知されたときに、サブ表示領域選択部２３は、第２サブ表示領域６２及び第４サブ表示領域６４を選択する。そして、サブ表示領域変更部２４は、第２サブ表示領域６２及び第４サブ表示領域６４を、共にＤｒ３の方向に拡大する。
【００５１】
また、第３サブ表示領域６３と第４サブ表示領域６４を拡大させたい場合、使用者は、第３サブ表示領域６３と第４サブ表示領域６４が並んだ第１方向（ｘ方向）と直交し、且つ第３サブ表示領域６３及び第４サブ表示領域６４を拡大させる方向である第２方向Ｄｒ１へのスライド操作を２回続けて行う。この第２方向Ｄｒ１への２回のスライド操作が、操作状態検知部２２により検知されたときに、サブ表示領域選択部２３は、第３サブ表示領域６３及び第４サブ表示領域６４を、共にＤｒ１の方向に拡大する。
【００５２】
次に、図６のＤ６は、第２の操作手順により、第１サブ表示領域６１と第２サブ表示領域６２を選択して拡大する場合を例示している。第２の操作手順は、２本の指により複数のサブ表示領域が並んだ第１方向と直交する第２方向のスライド操作を行う操作手順である。
【００５３】
使用者は、タッチパネル５１の任意の位置を二本の指Ｆ１，Ｆ２でタッチして、第１サブ表示領域６１と第２サブ表示領域６２が並んだ第１方向（ｘ方向）と直交し、且つ第１サブ表示領域６１と第２サブ表示領域６２を拡大させる方向である第２方向Ｄｒ２へのスライド操作Ｓｄ８，Ｓｄ９を同時（同じタイミング）に行う。
【００５４】
操作状態検知部２２により、上記第２の操作手順による２箇所のタッチ操作による同じタイミングでのスライド操作Ｓｄ８，Ｓｄ９が検知されたときに、サブ表示領域選択部２３は、第１サブ表示領域６１及び第２サブ表示領域６２を選択する。そして、サブ表示領域変更部２４は、第１サブ表示領域６１及び第２サブ表示領域６２を、共にＤｒ２の方向に拡大する。
【００５５】
ここで、操作状態検知部２２は、２箇所のタッチ操作によるスライド操作が同じタイミングで行われたことを、二つのスライド操作の実行時点のずれが、一般的なタッチ操作の状況から想定されるずれ時間以内であるか否かにより判断する。
【００５６】
また、第１サブ表示領域６１と第３サブ表示領域６３を拡大させたい場合、使用者は、第１サブ表示領域６１と第３サブ表示領域６３が並んだ第１方向（ｙ方向）と直交し、且つ第１サブ表示領域６１及び第３サブ表示領域６３を拡大させる方向である第２方向Ｄｒ４への二本指でのスライド操作を行う。
【００５７】
操作状態検知部２２により、Ｄｒ４への２箇所のスライド操作が同じタイミングで検知されたときに、サブ表示領域選択部２３は、第１サブ表示領域６１及び第３サブ表示領域６３を選択する。そして、サブ表示領域変更部２４は、第１サブ表示領域６１及び第３サブ表示領域６３を、共にＤｒ４の方向に拡大する。
【００５８】
また、第２サブ表示領域６２と第４サブ表示領域６４を拡大させたい場合、使用者は、第２サブ表示領域６２と第４サブ表示領域が並んだ第１方向（ｙ方向）と直交し、且つ第２サブ表示領域６２及び第４サブ表示領域６４を拡大させる方向である第２方向Ｄｒ３への二本指でのスライド操作を行う。
【００５９】
操作状態検知部２２により、Ｄｒ３への２箇所のタッチ操作による同じタイミングでのスライド操作が検知されたときに、サブ表示領域選択部２３は、第２サブ表示領域６２及び第４サブ表示領域６４を選択する。そして、サブ表示領域変更部２４は、第２サブ表示領域６２及び第４サブ表示領域６４を、共にＤｒ３の方向に拡大する。
【００６０】
また、第３サブ表示領域６３と第４サブ表示領域６４を拡大させたい場合、使用者は、第３サブ表示領域６３と第４サブ表示領域６４が並んだ第１方向（ｘ方向）と直交し、且つ第３サブ表示領域６３及び第４サブ表示領域６４を拡大させる方向である第２方向Ｄｒ１への二本指でのスライド操作を行う。
【００６１】
操作状態検知部２２により、Ｄｒ１への２箇所のタッチ操作による同じタイミングでのスライド操作が検知されたときに、サブ表示領域選択部２３は、第３サブ表示領域６３及び第４サブ表示領域６４を選択する。そして、サブ表示領域変更部２４は、第３サブ表示領域６３及び第４サブ表示領域６４を、共にＤｒ１の方向に拡大する。
【００６２】
次に、図７のＤ７は、第３の操作手順により、第１サブ表示領域６１と第２サブ表示領域６２を選択して拡大する場合を例示している。第３の操作手順は、二つのサブ表示領域が並んだ第１方向のスライド操作と、第１方向と直交する第２方向のスライド操作を続けて行う操作手順である。
【００６３】
使用者は、タッチパネル５１の任意の位置をタッチして、第１サブ表示領域６１と第２サブ表示領域６２が並んだ第１方向（ｘ方向）を含む円弧状の軌跡で指Ｆをスライドさせた後、第１方向（ｘ方向）と直交し、且つ第１サブ表示領域６１及び第２サブ表示領域６２を拡大させる方向である第２方向Ｄｒ２に指Ｆをスライドさせるスライド操作Ｓｄ１０を行う。
【００６４】
操作状態検知部２２により、上記第３の操作手順による円弧に続くＤｒ２へのスライド操作Ｓｄ１０が検知されたときに、サブ表示領域選択部２３は、第１サブ表示領域６１及び第２サブ表示領域６２を選択する。そして、サブ表示領域変更部２４は、第１サブ表示領域６１及び第２サブ表示領域６２を、共にＤｒ２の方向に拡大する。
【００６５】
また、図７のＤ８は、第３の操作手順により、第１サブ表示領域６１と第３サブ表示領域６３を選択して拡大する場合を例示している。使用者は、タッチパネル５１の任意の位置をタッチして、第１サブ表示領域６１と第３サブ表示領域６３が並んだ第１方向（ｙ方向）を含む円弧状の軌跡で指Ｆをスライド操作させた後、第１方向（ｙ方向）と直交し、且つ第１サブ表示領域６１及第３サブ表示領域６３を拡大させる方向である第２方向Ｄｒ４に指Ｆをスライドさせるスライド操作Ｓｄ１１を行う。
【００６６】
操作状態検知部２２により、上記第３の操作手順による円弧に続くＤｒ４へのスライド操作Ｓｄ１１が検知されたときに、サブ表示領域選択部２３は、第１サブ表示領域６１及び第２サブ表示領域６２を選択する。そして、サブ表示領域変更部２４は、第１サブ表示領域６１及び第３サブ表示領域６３を、共にＤｒ４の方向に拡大する。
【００６７】
また、第２サブ表示領域６２と第４サブ表示領域を拡大させたい場合、使用者は、第２サブ表示領域６２と第４サブ表示領域６４が並んだ第１方向（ｙ方向）を含む円弧状の軌跡で指Ｆをスライドさせた後、第１方向（ｙ方向）と直交し、且つ第２サブ表示領域６２及び第４サブ表示領域６４を拡大させる方向である第２方向Ｄｒ３に指Ｆをスライドさせるスライド操作を行う。
【００６８】
操作状態検知部２２により、第３の操作手順による円弧に続くＤｒ３へのスライド操作が検知されたときに、サブ表示領域選択部２３は、第２サブ表示領域６２及び第４サブ表示領域６４を選択する。そして、サブ表示領域変更部２４は、第２サブ表示領域６２及び第４サブ表示領域６４を、共にＤｒ３の方向に拡大する。
【００６９】
また、第３の操作手順により、第３サブ表示領域６３と第４サブ表示領域６４を拡大させたい場合、使用者は、第３サブ表示領域６３と第４サブ表示領域６４が並んだ第１方向（ｘ方向）を含む円弧状の軌跡で指Ｆをスライドさせた後、第１方向（ｘ方向）と直交し、且つ第３サブ表示領域６３及び第４サブ表示領域６４を拡大させる方向である第２方向Ｄｒ１に指Ｆをスライドさせるスライド操作を行う。
【００７０】
操作状態検知部２２により、第３の操作手順による円弧に続くＤｒ１へのスライド操作が検知されたときに、サブ表示領域選択部２３は、第３サブ表示領域６３及び第４サブ表示領域６４を選択する。そして、サブ表示領域変更部２４は、第３サブ表示領域６３及び第４サブ表示領域６４を、共にＤｒ１の方向に拡大する。
【００７１】
次に、図８のＤ９は、第４の操作手順により、第１サブ表示領域６１と第２サブ表示領域６２を選択して拡する場合を示している。第４の操作手順は、タップ操作とスライド操作の組み合わせによる操作手順である。
【００７２】
使用者は、タッチパネル５１の任意の位置を指Ｆでタップ操作（指でタッチパネル５１を叩く操作）した後に、第１サブ表示領域６１と第２サブ表示領域６２が並んだ第１方向（ｘ方向）と直交し、且つ第１サブ表示領域６１と第２サブ表示領域６２の拡大が可能な第２方向Ｄｒ２へのスライド操作Ｓｄ１２を行う。
【００７３】
操作状態検知部２２により、上記第４の操作手順によるタップ操作と、その後の第２方向Ｄｒ２へのスライド操作Ｓｄ１２が検知されたときに、サブ表示領域選択部２３は、第１サブ表示領域６１と第２サブ表示領域６２を選択する。そして、サブ表示領域変更部２４は、第１サブ表示領域６１及び第２サブ表示領域６２を、共に第２方向Ｄｒ２の方向に拡大する。
【００７４】
ここで、第４の操作手順により、第１サブ表示領域６１と第３サブ表示領域６３を選択して拡大する場合は、使用者は、タッチパネル５１の任意の位置を指Ｆでタップ操作した後に、第１サブ表示領域６１と第３サブ表示領域６３が並んだ第１方向（ｙ方向）と直交し、且つ第１サブ表示領域６１と第３サブ表示領域６３の拡大が可能な第２方向Ｄｒ４へのスライド操作を行う。
【００７５】
操作状態検知部２２により、第４の操作手順によるタップ操作とその後のＤｒ４の方向へのスライド操作が検知されたときに、サブ表示領域選択部２３は、第１サブ表示領域６１及び第３サブ表示領域６３を選択する。そして、サブ表示領域変更部２４は、第１サブ表示領域６１及び第３サブ表示領域６３を、共にＤｒ４の方向に拡大する。
【００７６】
また、第４の操作手順により、第２サブ表示領域６２と第４サブ表示領域６４を選択して拡大する場合は、使用者は、タッチパネル５１の任意の位置を指Ｆでタップ操作した後に、第２サブ表示領域６２と第４サブ表示領域６４が並んだ第１方向（ｙ方向）と直交し、且つ第２サブ表示領域６２及び第４サブ表示領域６４の拡大が可能な第２方向Ｄｒ３へのスライド操作を行う。
【００７７】
操作状態検知部２２により、上記第４の手順によるタップ操作とその後のＤｒ３の方向へのスライド操作が検知されたときに、サブ表示領域選択部２３は、第２サブ表示領域６２と第４サブ表示領域６４を選択する。そして、サブ表示領域変更部２４は、第２サブ表示領域６２と第４サブ表示領域６４を、共にＤｒ３の方向に拡大する。
【００７８】
また、第４の操作手順により、第３サブ表示領域６３と第４サブ表示領域６４を拡大する場合、使用者は、タッチパネル５１の任意の位置を指Ｆでタップ操作した後に、第３サブ表示領域６３と第４サブ表示領域６４が並んだ第１方向（ｘ方向）と直交し、且つ第３サブ表示領域６３と第４サブ表示領域６４の拡大が可能な第２方向Ｄｒ１へのスライド操作を行う。
【００７９】
操作状態検知部２２により、上記第４の手順によるタップ操作とその後の所定時間以内のＤｒ１の方向へのスライド操作が検知されたときに、サブ表示領域選択部２３は、第３サブ表示領域６３と第４サブ表示領域６４を選択する。そして、サブ表示領域変更部２４は、第３サブ表示領域６３と第４サブ表示領域６４を、共にＤｒ１の方向に拡大する。
【００８０】
［５．サブ表示領域を拡大する一連の処理］
図９に示したフローチャートに従って、操作状態検知部２２、サブ表示領域選択部２３、及びサブ表示領域変更部２４により実行されるサブ表示領域を拡大する一連の処理について説明する。図９に示したフローチャートによる処理は、表示制御装置１０の作動中に繰り返し実行される。
【００８１】
図９のステップＳ１は、操作状態検知部２２による処理である。操作状態検知部２２は、タッチスイッチ５１ｂの検出信号に基づいて、タッチパネル５１の操作状態を検知する。ここで、ステップＳ１の処理は、本発明の表示制御方法における操作状態検知ステップに相当する。
【００８２】
続くステップＳ２は、サブ表示領域選択部２３による処理である。サブ表示領域選択部２３は、操作状態検知部２２により検知されたタッチパネル５１の操作状態に基づいて、上述した［３．一つのサブ表示領域の拡大処理］による一つのサブ表示領域の選択、又は上述した［４．二つのサブ表示領域の拡大処理］による二つのサブ表示領域の選択を行う。そして、サブ表示領域選択部２３は、一つ又は二つのサブ表示領域を選択したときに、ステップＳ３に処理を進める。ここで、ステップＳ２による処理は、本発明の表示制御方法におけるサブ表示領域選択ステップに相当する。
【００８３】
次のステップＳ３以降は、サブ表示領域変更部２４による処理である。ここで、ステップＳ３以降の処理は、本発明の表示制御方法におけるサブ表示領域変更ステップに相当する。
【００８４】
ステップＳ３で、サブ表示領域変更部２４は、サブ表示領域選択部２３により一つのサブ表示領域が選択されたか否かを判断する。そして、サブ表示領域変更部２４は、一つのサブ表示領域が選択された場合はステップＳ４に処理を進め、一つのサブ表示領域が選択されなかった場合（二つのサブ表示領域が選択された場合）にはステップＳ１０に処理を進める。
【００８５】
ステップＳ１０で、サブ表示領域変更部２４は、上記［４．二つのサブ表示領域の拡大処理］で説明した処理により、ｘ方向に並んだ第１サブ表示領域６１及び第２サブ表示領域６２、又は第３サブ表示領域６３及び第４サブ表示領域６４、或いはｙ方向に並んだ第１サブ表示領域６１及び第３サブ表示領域６３、又は第２サブ表示領域６２及び第４サブ表示領域６４を、共に拡大する。
【００８６】
また、ステップＳ４で、サブ表示領域変更部２４は、スライド操作の角度αが０°以上且つ９０°未満（０°≦α＜９０°）であるか否かを判断する。そして、サブ表示領域変更部２４は、スライド操作の角度αが０°以上且つ９０°未満であるときはステップＳ５に処理を進め、スライド操作の角度αが０°以上且つ９０°未満でないときにはステップＳ２０に処理を進める。
【００８７】
ステップＳ５で、サブ表示領域変更部２４は、図４のＤ１を参照して上述したように、第１サブ表示領域６１を、スライド操作の操作時間βに応じた拡大量（図３に示した拡大量テーブル８０により設定される）、及び角度αに応じた縦横比により拡大して、ステップＳ６に処理を進める。
【００８８】
ステップＳ２０で、サブ表示領域変更部２４は、スライド操作の角度αが２７０°以上且つ３６０°未満（２７０°≦α＜３６０°）であるか否かを判断する。そして、サブ表示領域変更部２４は、スライド操作の角度αが２７０°以上且つ３６０°未満であるときはステップＳ２１に処理を進め、スライド操作の角度αが２７０°以上且つ３６０°未満でないときにはステップＳ３０に処理を進める。
【００８９】
ステップＳ２１で、サブ表示領域変更部２４は、図５のＤ３を参照して上述したように、第３サブ表示領域６３を、スライド操作の操作時間βに応じた拡大量（図３に示した拡大量テーブル８０により設定される）、及び角度αに応じた縦横比により拡大して、ステップＳ６に処理を進める。
【００９０】
ステップＳ３０で、サブ表示領域変更部２４は、スライド操作の角度αが１８０°以上且つ２７０°未満（１８０°≦α＜２７０°）であるか否かを判断する。そして、サブ表示領域変更部２４は、スライド操作の角度αが１８０°以上且つ２７０°未満であるときはステップＳ４０に処理を進め、スライド操作の角度αが１８０°以上且つ２７０°未満でないときにはステップＳ４０に処理を進める。
【００９１】
ステップＳ３１で、サブ表示領域変更部２４は、図５のＤ４を参照して上述したように、第４サブ表示領域６４を、スライド操作の操作時間βに応じた拡大量（図３に示した拡大量テーブル８０により設定される）、及び角度αに応じた縦横比により拡大して、ステップＳ６に処理を進める。
【００９２】
ステップＳ４０で、サブ表示領域変更部２４は、自車両１が走行中であるか否かを判断する。ここで、自車両１が走行中であるか否かは、ＧＰＳ受信機４３の位置検出信号の変化の有無、自車両１に搭載された車速センサ（図示しない）による検出速度等により判断することができる。そして、サブ表示領域変更部２４は、自車両１が走行中であるときはステップＳ５０に処理を進め、自車両１が走行中でないときにはステップＳ４１に処理を進める。
【００９３】
ステップＳ４１で、サブ表示領域変更部２４は、図４のＤ２を参照して上述したように、第２サブ表示領域６２を、スライド操作の操作時間βに応じた拡大量（図３に示した拡大量テーブル８０により設定される）、及び角度αに応じた縦横比により拡大して、ステップＳ６に処理を進める。
【００９４】
ステップＳ５０で、サブ表示領域変更部２４は、映像再生（ＤＶＤの再生等）の設定中であるか否かを判断する。そして、サブ表示領域変更部２４は、映像再生の設定中であるときはステップＳ６に処理を進め、この場合（自車両１が走行中であって、映像再生の設定中である場合）は第２サブ表示領域６２は拡大されない。一方、映像再生の設定中でないときには、サブ表示領域変更部２４はステップＳ４１に処理を進め、この場合は、上述したようにサブ表示領域変更部２４は第２サブ表示領域６２を拡大する。
【００９５】
［６．他の実施形態］
上記実施形態では、表示制御装置１０が車両１に搭載された場合を示したが、表示制御装置の使用態様はこれに限られず、例えば、機器の操作パネル、スマートフォンやタブレット等のタッチパネル等の表示領域を複数のサブ表示領域に分割して、画面の制御を行う場合にも本発明の適用が可能である。
【００９６】
上記実施形態では、サブ表示領域の拡大量をスライド操作の操作時間βに応じて決定したため、サブ表示領域変更部２４は、スライド操作が終了した時にサブ表示領域を拡大した。これに対して、スライド操作の操作速度（スライド量／操作時間）に応じて、サブ表示領域の拡大量を決定するようにしてもよい。この場合、使用者が一つのサブ表示領域を拡大させるスライド操作を行ったときは、スライド操作を開始した直後から、操作速度を算出して選択されたサブ表示領域を拡大することができる。また、使用者が二つのサブ表示領域を拡大させるスライド操作を行ったときには、二つのサブ表示領域の拡大方向へのスライド操作を開始した直後から、操作速度を算出して選択された二つのサブ表示領域を拡大することができる。
【００９７】
図２に示したように、画面表示制御部２１は、四つのサブ表示領域６１〜６４の接点にクロスポイント６５を表示するが、いずれかのサブ表示領域を最大表示（全画面表示）にしたときには、拡大方向の隅にクロスポイント６５を表示する。例えば、第１サブ表示領域６１を最大表示したときには、画面表示制御部２１は、タッチパネル５１の右下隅にクロスポイント６５を表示する。そして、画面表示制御部２１は、タッチパネル５１の隅に表示されたクロスポイント６５のタッチ操作が操作状態検知部２２により検知されたときに、タッチパネル５１を四つのサブ表示領域６１〜６４を表示した状態に戻すようにしてもよい。
【００９８】
なお、図１は、本願発明を理解容易にするために、表示制御装置１０の機能構成を主な処理内容に応じて分類して示した概略図であり、表示制御装置１０の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
【００９９】
また、図１に示した表示制御装置１０において、ＣＰＵ２０で実行されるプログラムは、例えば、通信ネットワークを介して外部サーバーからダウンロードされ、それからＲＡＭ等のメモリ３０上にロードされてＣＰＵにより実行されるようにしてもよい。また、通信ネットワークを介して、外部サーバーからＲＡＭ等のメモリ３０に直接ロードされ、ＣＰＵ２０により実行されるようにしてもよい。或いは、表示制御装置１０に接続された記憶媒体から、ＲＡＭ等のメモリ３０上にロードされるようにしてもよい。
【０１００】
また、図９に示したフローチャートの処理単位は、表示制御装置１０による処理の理解を容易にするために、主な処理内容に応じて分割したものである。処理単位の分割の仕方や名称によって、本願発明が制限されることはない。表示制御装置１０の処理は、処理内容に応じて、さらに多くの処理単位に分割することもできる。また、1つの処理単位がさらに多くの処理を含むように分割することもできる。また、同様の処理結果が得られるのであれば、上記各フローチャートの処理順序も、図示した例に限られるものではない。
【０１０１】
また、上記実施形態では、サブ表示領域の大きさを変更する例としてサブ表示領域を拡大する処理を示したが、サブ表示領域を縮小する場合にも、同様にして本発明の適用が可能である。
【符号の説明】
【０１０２】
１  車両（自車両）
１０  表示制御装置
２０  ＣＰＵ
２１  画面表示制御部
２２  操作状態検知部
２３  サブ表示領域選択部
２４  サブ表示領域変更部
３０  メモリ
３１  制御用プログラム
４０  スピーカー
４１  記憶装置
４１ａ  地図ＤＢ
４２  ジャイロセンサ
４３  ＧＰＳ受信機
４４  ＦＭ多重受信機
４５  ビーコン受信機
４６  車両通信部
５０  情報ユニット
５１  タッチスイッチ
５１ａ  表示器
５１ｂ  タッチスイッチ
５２  ボタンスイッチ
６１  第１サブ表示領域
６２  第２サブ表示領域
６３  第３サブ表示領域
６４  第４サブ表示領域
Ｓｄ１〜Ｓｄ１２  スライド操作
【図１】
2019045917.tif 000003
【図２】
2019045917.tif 000004
【図３】
2019045917.tif 000005
【図４】
2019045917.tif 000006
【図５】
2019045917.tif 000007
【図６】
2019045917.tif 000008
【図７】
2019045917.tif 000009
【図８】
2019045917.tif 000010
【図９】
2019045917.tif 000011